(57)【特許請求の範囲】
【請求項１】
替刃式剃刀の替刃において、
刃体が保持部材にて保持されるとともに、前記保持部材の一端部から前記刃体の刃先が突出され、
前記保持部材の刃先側端部は刃体を挟持し、同保持部材の刃先側端部近傍は刃体の両側面に対して離間し、同保持部材の中間部は刃体の両側面に対して前記刃先側端部近傍より近接し、同保持部材の背側端部近傍は刃体の両側面に対して前記中間部より離間し、
前記保持部材における刃体の刃先側端部近傍が、反刃体側へ向け膨出した皮膚押圧部として構成された
ことを特徴とする替刃式剃刀の替刃。
【請求項２】
替刃式剃刀の替刃において、
刃体が保持部材にて保持されるとともに、前記保持部材の一端部から前記刃体の刃先が突出され、
前記保持部材における刃体の刃先側端部近傍が、反刃体側へ向け膨出した皮膚押圧部として構成され、
当該皮膚押圧部には、皮膚表面との接触面積を少なくするための１以上の接触面積低減部が設けられていることを特徴とする替刃式剃刀の替刃。
【請求項３】
前記刃体の刃先及び刃体中心線を通過する仮想平面と、前記刃先及び前記皮膚押圧部の外面に接する平面とがなす角度を２２度〜３２度の範囲としたことを特徴とする請求項１又は請求項２に記載の替刃式剃刀の替刃。
【請求項４】
前記請求項１乃至請求項３のうちいずれか１項に記載の替刃式剃刀の替刃を挟着可能な替刃式剃刀のホルダであって、
同ホルダには、替刃式剃刀の替刃を挟着する刃体挟着部を備え、
ホルダに前記替刃を取着した状態で、替刃の刃先から延びホルダの外側面に接する接線と替刃の中心線とのなす角度は、替刃の刃先から皮膚押圧部の外側面に接する接線と前記中心線とのなす角度よりも小さくなるように、ホルダの外側面を形成したことを特徴とする替刃式剃刀のホルダ。
【請求項５】
前記刃体挟着部の挟着側端部近傍には替刃側へ向け突出する突出部を備え、前記突出部にて、前記替刃式剃刀の替刃の側方に設けられた替刃凹部を挟着することを特徴とする請求項４に記載の替刃式剃刀のホルダ。
【請求項６】
前記刃体挟着部の挟着側端部には窪み部を備え、前記窪み部にて、前記替刃式剃刀の替刃の側方に設けられた凸部の一部を覆うことを特徴とする請求項４に記載の替刃式剃刀のホルダ。
【発明の詳細な説明】
【０００１】
【発明の属する技術分野】
本発明は、理容室において顔剃り等に使用される替刃式剃刀の替刃及び替刃式剃刀のホルダに関するものである。
【０００２】
【従来の技術】
この種の替刃式剃刀の替刃（以下、替刃という）は、同替刃を挟着可能なホルダに挟着し、替刃式剃刀を構成する。そして、このような替刃式剃刀で顔剃りを行う場合には、替刃の刃体を皮膚表面に対して所定角度に立たせた状態で刃先を皮膚表面に接触させ、替刃を皮膚表面に沿って移動させている。
【０００３】
【発明が解決しようとする課題】
ところで、替刃式剃刀で顔剃りを行う場合には剃り残し、肌荒れが発生しない事はもちろん、剃り心地の良さも要求される。一般に、安全上、皮膚とホルダと替刃の皮膚表面に対する角度（対皮角度）を大きくして（ホルダを立てて）使用するため、剃り残し、肌荒れ、血吹きの心配もあり、対皮角度を小さくして剃ることが推奨されている。しかし、ホルダ重量と運行荷重が刃先の一点に集中するため、肌荒れ、血吹きが完全に防止できるわけではない。
【０００４】
本発明は、替刃式剃刀の替刃の皮膚に対する角度を安定することができ、剃り心地を良くし、剃り残し、肌荒れのない顔剃りをすることができる替刃式剃刀の替刃を提供することにある。
【０００５】
本発明のその他の目的は、前記替刃の皮膚に対する角度を安定することができ、剃り心地を良くし、剃り残し、肌荒れのない顔剃りをすることができる替刃式剃刀の替刃を挟着する替刃式剃刀のホルダを提供することにある。
【０００６】
【課題を解決するための手段】
上記目的を達成するために、請求項１に記載の発明は、替刃式剃刀の替刃において、刃体が保持部材にて保持されるとともに、前記保持部材の一端部から前記刃体の刃先が突出され、前記保持部材の刃先側端部は刃体を挟持し、同保持部材の刃先側端部近傍は刃体の両側面に対して離間し、同保持部材の中間部は刃体の両側面に対して前記刃先側端部近傍より近接し、同保持部材の背側端部近傍は刃体の両側面に対して前記中間部より離間し、前記保持部材における刃体の刃先側端部近傍が、反刃体側へ向け膨出した皮膚押圧部として構成されたことを要旨とする。
【０００７】
請求項２に記載の発明は、替刃式剃刀の替刃において、刃体が保持部材にて保持されるとともに、前記保持部材の一端部から前記刃体の刃先が突出され、前記保持部材における刃体の刃先側端部近傍が、反刃体側へ向け膨出した皮膚押圧部として構成され、当該皮膚押圧部には、皮膚表面との接触面積を少なくするための１以上の接触面積低減部が設けられていることを要旨とする。
【０００８】
請求項３に記載の発明は、請求項１又は請求項２において、前記刃体の刃先及び刃体中心線を通過する仮想平面と、前記刃先及び前記皮膚押圧部の外面に接する平面とがなす角度を２２度〜３２度の範囲としたことを要旨とする。
【０００９】
請求項４に記載の発明は、前記請求項１乃至請求項３のうちいずれか１項に記載の替刃式剃刀の替刃を挟着可能な替刃式剃刀のホルダであって、同ホルダには、替刃式剃刀の替刃を挟着する刃体挟着部を備え、ホルダに前記替刃を取着した状態で、替刃の刃先から延びホルダの外側面に接する接線と替刃の中心線とのなす角度は、替刃の刃先から皮膚押圧部の外側面に接する接線と前記中心線とのなす角度よりも小さくなるように、ホルダの外側面を形成したことを要旨とする。
【００１０】
請求項５に記載の発明は、請求項４に記載の替刃式剃刀のホルダにおいて、前記刃体挟着部の挟着側端部近傍には替刃側へ向け突出する突出部を備え、前記突出部にて、前記替刃式剃刀の替刃の側方に設けられた替刃凹部を挟着することを要旨とする。
【００１１】
請求項６に記載の発明は、請求項４に記載の替刃式剃刀のホルダにおいて、前記刃体挟着部の挟着側端部には窪み部を備え、前記窪み部にて、前記替刃式剃刀の替刃の側方に設けられた凸部の一部を覆うことを要旨とする。
【００１３】
（作用）
従って、請求項１に記載の発明においては、皮膚表面の毛を剃る際には、皮膚押圧部と刃体の刃先とを皮膚表面に接触させる。すると、皮膚表面には皮膚押圧部と刃体の刃先との両方が接触するため、刃体の刃先及び刃体の中心線を通過する仮想平面と皮膚表面とのなす角度は安定し、剃り心地と剃り味が良くなる。
【００１４】
又、皮膚押圧部を皮膚表面に対して押圧すると、皮膚押圧部にて押圧された部分の皮膚は引っ張られた状態となり、その結果、刃体の刃先前方に位置する毛は立ち上がる。そして、前記皮膚押圧部を皮膚表面に対して接触させたままの状態で刃体を前方へ移動させると、前記立ち上がった毛は刃体の刃先にて根元から剃られる。
【００１５】
さらに、保持部材に設けた皮膚押圧部と刃体の刃先とを皮膚表面に接触させると、刃体の刃先及び刃体の中心線を通過する仮想平面と皮膚表面とのなす角度は安定する。又、保持部材に設けた皮膚押圧部を皮膚表面に押圧することで刃体の刃先前方に位置する毛は立ち上がる。
【００１６】
加えて、替刃式剃刀の替刃を替刃式剃刀に取り付ける際には、保持部材の中間部を替刃式剃刀の刃体挟着部に挟着させる。
【００１７】
請求項２に記載の発明においては、皮膚押圧部には接触面積低減部が設けられている。その結果、皮膚押圧部を皮膚表面に対して接触させたままの状態で刃体を前方へ移動させた際に、皮膚押圧部は皮膚表面に対する接触面積が接触面積低減部を持たない場合と比べて低減され滑りがよくなる。
【００１８】
請求項３に記載の発明においては、請求項１又は請求項２に記載の作用に加えて、刃体の刃先及び刃体の中心線を通過する仮想平面と皮膚表面とのなす角度を、前記刃体の刃先及び刃体の中心線を通過する仮想平面と刃先及び前記皮膚押圧部に接する平面とがなす角度より小さくすると、皮膚押圧部は皮膚表面を押圧する。
【００１９】
請求項４に記載の発明においては、替刃式剃刀のホルダの刃体挟着部に替刃式剃刀の替刃を挟着する。すると、替刃の刃先から延びホルダの外側面に接する接線と替刃の中心線とのなす角度が、替刃の刃先から皮膚押圧部の外側面に接する接線と前記中心線とのなす角度よりも小さくなる。
【００２０】
この結果、替刃式剃刀のホルダの外側面と、替刃の刃先とを皮膚表面に接触させると、皮膚押圧部は皮膚表面を押圧する。すると、皮膚押圧部にて押圧された部分の皮膚は引っ張られた状態となり、替刃の刃先前方に位置する毛は立ち上がる。そして、前記皮膚押圧部を皮膚表面に対して接触させたままの状態で刃体を前方へ移動させると、前記立ち上がった毛は刃体の刃先にて根元から剃られる。また、替刃式剃刀のホルダの外側面を皮膚表面に接触させることで、替刃の刃先の皮膚に対する角度が安定する。
【００２１】
請求項５に記載の発明においては、請求項４に記載の作用に加えて、刃体挟着部の突出部にて替刃式剃刀の替刃の替刃凹部が挟着される。
請求項６に記載の発明においては、請求項４に記載の作用に加えて、替刃式剃刀のホルダは、その刃体挟着部にて替刃式剃刀の替刃を挟着すると、前記刃体挟着部の窪み部が替刃式剃刀の替刃の凸部の一部を覆う。
【００２２】
【発明の実施の形態】
以下、本発明を具体化した第１実施形態を図面に従って説明する。
図１は替刃式剃刀を示す斜視図である。替刃式剃刀１はホルダ２と同ホルダ２に挟持された替刃３とを備えている。ホルダ２は替刃式剃刀のホルダに相当し、替刃３は替刃式剃刀の替刃に相当する。ホルダ２は柄部４と固定挟着部材５と可動挟着板６とを備えている。固定挟着部材５の先端部には固定挟着部７が形成されている。前記固定挟着部７に対向する位置には可動挟着板６が設けられており、両者６，７の協働により替刃３が挟着されている。
【００２３】
図２に示すように、固定挟着部７は、替刃３（図２においては図示しない）が位置決めされつつ載置される刃体挟着部１１と、可動挟着板６の後記する支軸３２，３３が回動自在に支持される支持筒１２，１３と、バネ装着部１４と、バネ装着部１４に装着されている板バネ１５とを備えている。図２，３に示すように、刃体挟着部１１は、固定挟着部７における上下方向中央近傍から下側縁部にかけて形成されおり、その挟着側端部（下部）近傍には、基端側から先端側に延び、かつ湾曲状に突出する突出部１１ａが形成されている。そして、刃体挟着部１１の挟着側端部近傍に突出部１１ａが形成されることにより、刃体挟着部１１の背側端部（上部）は湾曲した凹部１１ｂが形成されている。
【００２４】
前記刃体挟着部１１の最上部には、上下方向への替刃３の移動を制限するための係止突条部１６が形成されている。なお、固定挟着部７の基端方向（図２においては左側）への替刃３の移動は、可動挟着板６を係止する壁状部１７によって制限されている。
【００２５】
又、係止突条部１６の上面には、固定挟着部７の基端側から先端側に延びる断面半円状のガイド溝１８が形成されており、可動挟着板６の支軸３２，３３は、このガイド溝１８に案内されつつ支持筒１２，１３に到達する。支持筒１２，１３は、断面半円状のガイド溝１８の先端側、及び基端側において、その開口部が先基端側方向を向く筒状体によって形成されており、先端側の支持筒１２は、支軸３２の被係止部４１を係止するために基端側の支持筒１３よりも短く形成されている。
【００２６】
バネ装着部１４は固定挟着部７における上側縁部近傍に凹設され、同バネ装着部１４には板バネ１５がバネ装着突起１９及び係止ワッシャ２１によって遊動自在に装着されている。
【００２７】
可動挟着板６は、前記固定挟着部７の刃体挟着部１１との協働により替刃３を挟着する刃体挟着部３１と、支持筒１２，１３に挿嵌される支軸３２，３３と、板バネ１５によって押圧される被押圧部３４とを備えている。
【００２８】
刃体挟着部３１は、可動挟着板６における上下方向中央近傍から下側縁部にかけて形成されおり、その挟着側端部（下部）近傍には基端側から先端側に延びる湾曲状の突出部３１ａが形成されている。そして、刃体挟着部３１の挟着側端部近傍に突出部３１ａが形成されることにより、刃体挟着部３１の背側端部（上部）は湾曲した凹部３１ｂが形成されている。
【００２９】
前記刃体挟着部３１の最上部には、前記係止突条部１６と対向する係止突条部３５が形成されている。係止突条部３５の上面には、可動挟着板６の基端側から先端側に延びる断面半円状のガイド溝３６が形成されており、このガイド溝３６と支持筒１２，１３とが係合した状態でスライドされることにより、各支軸３２，３３が各支持筒１２，１３に案内される。
【００３０】
支軸３２，３３は、支持筒１２，１３に挿嵌される軸部３７，３８と、軸部３７，３８を可動挟着板６に固定する固定部３９，４０とから構成されており、ガイド溝３６の先端側、及び基端側において、軸部３７，３８が基端側を向くように配設されている。そして、先端側に位置する支軸３２の軸部３７の周囲には、先端側の支持筒１２に確実に係止されるための被係止部４１が形成されている。この被係止部４１は、支軸３２における軸部３７の先端近傍に軸部３７が有する断面径よりも大きな断面径を有するように形成されている。
【００３１】
そして、軸部３７，３８が支持筒１２，１３に挿嵌され、板バネ１５の弾性力によって、両者１２，３７の軸が軸の径方向にずれるのに伴って、被係止部４１が支持筒１２に係止されている。前記固定挟着部７の反可動挟着板側側面である固定挟着部外側面７ａ、及び前記可動挟着板６の反固定挟着部側側面である可動挟着板外側面６ａにおいて、背側端部近傍から挟着側端部に亘り外側に膨らんだ湾曲面が形成されており、その曲率半径は４０mmに設定されている。なお、この曲率半径は３０mm〜５０mmの範囲において設定可能であるが、より望ましい範囲は３５mm〜４５mmであり、最も好適な範囲は３９mm〜４１mmである。
【００３２】
そして、支持筒１２，１３に挿嵌された軸部３７，３８を支点として、板バネ１５の弾性力によって、可動挟着板６の上側縁部近傍と、固定挟着部７の上側縁部近傍との間が押し広げられる。この結果、替刃３の後述する凹曲部５３ａは刃体挟着部１１の突出部１１ａ及び刃体挟着部３１の突出部３１ａに挟着されている。又、替刃３の後述する背側端部近傍は刃体挟着部１１の凹部１１ｂ及び刃体挟着部３１の凹部３１ｂに係止されている。
【００３３】
次に、替刃３について説明する。
図４，５（ａ），５（ｂ）に示すように、替刃３は刃体５２と同刃体５２を挟持する保持部材としての背金５３にて構成されている。
【００３４】
刃体５２は全体が矩形状をなすステンレス製板からなり、図５（ａ），（ｂ）において刃体５２の下端部が刃先５４となっている。前記刃体５２の背金５３に覆われた部分には２つの長孔５５ａ，５５ｂが同刃体５２の長手方向において所定間隔を隔てて形成されている。また、前記長孔５５ａ，５５ｂが形成された位置に対応する背金５３の両方の側部にはそれぞれ長孔５５ａ，５５ｂと同型状の長孔５６ａ，５６ｂが形成されている。
【００３５】
前記背金５３の厚さは３mmに設定されている。これによって、刃体５２の強度を大幅に向上させ、剃毛の際に発生する刃先５４のビビリ（振動）を少なくできる。この背金５３の厚さは、刃体５２の厚みに応じて任意に変更することができる。図５（ａ），（ｂ）に示すように、前記背金５３の一方側において、長孔５６ａ，５６ｂの背側開口縁部から刃先側へ向け係止片５７ａ，５７ｂがそれぞれ突出形成されている。
【００３６】
前記各係止片５７ａ，５７ｂは背金５３の外方から刃体５２側に向けて折り曲げ加工され、各長孔５５ａ，５５ｂの上内縁部に当接されている。各長孔５５ａ，５５ｂの上内縁部に係止片５７ａ，５７ｂが当接係止することにより刃体５２は上方に移動し、刃体５２の背部５２ａは背金５３の上部に当接されている。従って、刃先５４は上下方向の移動が規制されている。
【００３７】
背金５３は前記刃体５２の背部５２ａに対応する位置にて断面Ｕ字形状をなすように湾曲形成され、刃体５２の背部５２ａが当接されている。前記背金５３の刃先側端部と背部との中間部は刃体５２の両側面に対して背側端部近傍よりも内方に位置して近接した凹曲部５３ａが形成されている。前記凹曲部５３ａは保持部材の中間部及び替刃凹部に相当する。又、前記背金５３の刃先側端部（挟着側端部）近傍は刃体５２の両側面に対して前記凹曲部５３ａよりも外方へ位置して離間した皮膚押圧部としての膨出湾曲した凸曲部５３ｂが形成されている。背金５３の刃先側端部は刃体５２を挟持している。
【００３８】
前記凹曲部５３ａの曲率半径は８mmに設定されており、前記凸曲部５３ｂの曲率半径は２mmに設定されている。なお、前記凹曲部５３ａの曲率半径は７mm〜１０mmの範囲において設定可能であるが、より望ましい範囲は７．５mm〜９mmであり、最も好適な範囲は７．８mm〜８．２mmである。又、前記凸曲部５３ｂの曲率半径は１．５mm〜５mmの範囲において設定可能であるが、より望ましい範囲は２mm〜３mmであり、最も好適な範囲は１．９mm〜２．１mmである。
【００３９】
前記凸曲部５３ｂの外面には接触面積低減部としての凹状をなすディンプル５８が長手方向へ向けジグザグ状をなして所定間隔毎に複数個形成されている。図６（ａ）はジグザグ状に形成されたディンプル５８のうち背金５３の背側寄りに形成されたディンプル５８を示し、図６（ｂ）は刃先側寄りに形成されたディンプル５８を示している。前記ディンプル５８は曲率半径が８．３５mmに設定されており、その深さＦは０．０５mmに設定されている。又、ディンプル５８の直径Ｈは０．８mmに設定されている。
【００４０】
なお、前記ディンプル５８の曲率半径は７．８５mm〜８．８５mmの範囲において設定可能であるが、より望ましい範囲は８．０５mm〜８．６５mmであり、最も好適な範囲は８．２５mm〜８．４５mmである。又、前記ディンプル５８の深さＦは０．０２mm〜０．０６mmの範囲において設定可能であるが、より望ましい範囲は０．０３５mm〜０．０５５mmであり、最も好適な範囲は０．０４５mm〜０．０５mmである。さらに、前記ディンプル５８の直径Ｈは０．７mm〜０．９mmの範囲において設定可能であるが、より望ましい範囲は０．７５mm〜０．８５mmであり、最も好適な範囲は０．７８mm〜０．８２mmである。
【００４１】
又、図５（ａ），（ｂ）に示すように、背金５３に対する刃先５４の突出長さＤは０．６mmに設定されている。そして、図３に示すように、固定挟着部７の刃体挟着部１１と可動挟着板６の刃体挟着部３１との協働により挟着された替刃３において、刃体５２の刃先５４から可動挟着板外側面６ａに接する接線Ｌ１と、刃体５２の中心線Ｍとのなす角度α１は約１９．５度に設定されている。
【００４２】
加えて、前記刃先５４から固定挟着部外側面７ａに接する接線Ｌ２と、刃体５２の中心線Ｍとのなす角度α２は約１９．５度に設定されている。さらに、刃先５４と背金５３の両凸曲部５３ｂの外側面との接する線をＳ１，Ｓ２とすると、接線Ｓ１と中心線Ｍとのなす角度β１は２５度に設定されている。又、接線Ｓ２と中心線Ｍとのなす角度β２は２５度に設定されている。
【００４３】
なお、前記刃先５４の突出長さＤは、０．４mm〜０．８mmの範囲において設定可能であるが、より望ましい範囲は０．５mm〜０．７mmであり、最も好適な範囲は０．５８mm〜０．６２mmである。又、角度α１，α２は、１７度〜２８度の範囲において設定可能であるが、より望ましい範囲は１８度〜２３度であり、最も好適な範囲は１８．２度〜２２度である。角度β１，β２は２２度〜３２度の範囲において設定可能であるが、より望ましい範囲は２３．５度〜３０度であり、最も好適な範囲は２４．５度〜２５．５度である。
【００４４】
すなわち、替刃式剃刀１を先端側から見ると、可動挟着板６及び固定挟着部７の湾曲形成された側面同士は、前記中心線Ｍを中心に略左右対象形状に形成されている。
【００４５】
なお、本実施形態では刃体５２と皮膚表面Ｈｉとのなす角度を約１９．５度にした際に、刃体５２の刃先５４が毛Ｋｅを剃る最も好適な角度となるように設定している。
【００４６】
次に、本実施形態のように構成された替刃式剃刀１の作用の説明を替刃式剃刀１の作用の説明とともにする。
図３に示すように、可動挟着板外側面６ａ、凸曲部５３ｂ及び刃先５４を皮膚表面Ｈｉに対して接触させると、替刃式剃刀１の中心線Ｍと皮膚表面Ｈｉとのなす角度はα１度となる。すると、凸曲部５３ｂと刃先５４が皮膚表面Ｈｉに接触することで、刃体５２の皮膚表面Ｈｉに対する角度が安定する。この結果、刃先５４にかかるホルダ２の荷重及びホルダ２を移動させる際の運行荷重は、可動挟着板外側面６ａ及び凸曲部５３ｂに分散され、刃先５４にて毛Ｋｅを剃っても肌荒れを起こさない。
【００４７】
又、この時、凸曲部５３ｂは皮膚表面Ｈｉを押圧し、その押圧した皮膚表面Ｈｉに対し張りを生じさせる。すると、刃先５４前方の毛Ｋｅが立ち上がり、その状態で替刃式剃刀１を前方へ移動させると、刃先５４にて毛Ｋｅを根元から剃る。
【００４８】
又、凸曲部５３ｂには複数のディンプル５８が設けられている。このため、上記のように凸曲部５３ｂを皮膚表面Ｈｉに押圧させたまま替刃式剃刀１を前方へ移動させる際に、凸曲部５３ｂが皮膚表面Ｈｉに対する接触面積が小さくなり、この結果、皮膚表面Ｈｉに対する凸曲部５３ｂの滑りがよくなる。
【００４９】
加えて、ホルダ２の可動挟着部外側面を曲率半径４０mmにしたことで、その側面を皮膚表面Ｈｉに接触させたまま毛剃りを行える。
従って、本実施形態のホルダ２及び替刃３によれば、以下のような効果を得ることができる。
【００５０】
（１）本実施形態では、可動挟着板外側面６ａ、凸曲部５３ｂ及び刃先５４を皮膚表面Ｈｉに対して接触させると、替刃式剃刀１の中心線Ｍと皮膚表面Ｈｉとのなす角度はα１度となる。従って、可動挟着板外側面６ａを皮膚表面Ｈｉに当てることで角度α１を安定させることができ、理想的な対皮角度で毛剃りを行うことができる。又、剃り心地を良くし、剃り残し、肌荒れのない顔剃りをすることができる。
【００５１】
（２）本実施形態では、替刃３に皮膚表面Ｈｉを押圧する凸曲部５３ｂを設けている。従って、刃先５４前方の皮膚表面Ｈｉに生えた毛Ｋｅを剃る際に、凸曲部５３ｂにて皮膚表面Ｈｉを押圧することで毛Ｋｅが立ち上がり根元から剃ることができる。
【００５２】
又、替刃３の刃先５４から延び可動挟着板外側面６ａ，固定挟着部外側面７ａ（ホルダ２の外側面）に接する接線Ｌ１，Ｌ２と刃体５２（替刃）の中心線Ｍとのなす角度α１，α２は、刃先５４から背金５３の両凸曲部５３ｂ（皮膚押圧部）の外側面に接する接線Ｓ１，Ｓ２と前記中心線とのなす角度β１，β２よりも小さくなるように、ホルダ２の可動挟着板外側面６ａ，固定挟着部外側面７ａを形成した。
【００５３】
この結果、上記皮膚表面Ｈｉを押圧する凸曲部５３ｂの押圧作用を減ずることがない。すなわち、仮に、α１，α２がβ１，β２よりも大きくなるように、ホルダ２の可動挟着板外側面６ａ，固定挟着部外側面７ａを形成した場合には、皮膚表面Ｈｉを押圧する凸曲部５３ｂの押圧作用を減ずることになって、毛Ｋｅの立ち上がりが良好でなくなってしまい、好適に根元から剃ることができなくなるが、本実施形態ではこのようなことはない。
【００５４】
（３）本実施形態では、凸曲部５３ｂにディンプル５８を設けている。従って、凸曲部５３ｂが皮膚表面Ｈｉに対する接触面積が小さくなり、皮膚表面Ｈｉに対する凸曲部５３ｂの滑りをよくすることができる。
【００５５】
（４）本実施形態では、背金５３の刃先と背部のなす中間部は刃体５２の両側面に対して背側端部近傍より隣接した凹曲部５３ａとなっている。そして、替刃３の凹曲部５３ａを刃体挟着部１１の突出部１１ａ及び刃体挟着部３１の突出部３１ａに挟着し、替刃３の背側端部近傍を刃体挟着部１１の凹部１１ｂ及び刃体挟着部３１の凹部３１ｂに係止した。従って、背金５３の凹曲部５３ａをホルダ２の刃体挟着部１１，３１に安定して挟着することができる。
【００５６】
（５）本実施形態では、刃体５２の両側に凸曲部５３ｂを設けている。従って、替刃式剃刀１使用時の操作性を向上できる。
（第２実施形態）
次に、第２実施形態を図７に従って説明する。なお、第２実施形態は、前記第１実施形態を変更したものであり、前記第１実施形態と同様の構成については、同一符号を付して、その詳細な説明を省略し、異なるところのみを説明する。
【００５７】
本実施形態のホルダ２は前記第１実施形態の刃体挟着部１１，３１の形状を変更し、本実施形態の替刃３は前記第１実施形態の背金５３の形状を変更したものである。
【００５８】
本実施形態の刃体挟着部６１は、固定挟着部７における上下方向中央近傍から下側縁部にかけて平面状に形成されおり、その挟着側端部（下部）には、基端側から先端側に延び、かつ湾曲状の窪み部６１ａが形成されている。一方、刃体挟着部７１は、可動挟着板６における上下方向中央近傍から下側縁部にかけて平面状に形成されおり、その挟着側端部（下部）には基端側から先端側に延び、かつ湾曲状の窪み部７１ａが形成されている。前記窪み部６１ａ，７１ａは後述する背金８０における凸曲部８０ａの背側端部を覆うように形成されている。
【００５９】
前記ホルダ２の刃体挟着部６１，７１には、保持部材としての背金８０を有する替刃３が挟着されている。替刃３の背金８０は、前記刃体５２の背部５２ａから略中間部に亘って、刃体５２の両側面に当接しており、その外側両側面が平面状に形成され、前記刃体５２の略中間部から刃先側端部近傍に亘って、膨出湾曲した凸曲部８０ａが形成されている。前記凸曲部８０ａは皮膚押圧部及び凸部に相当する。前記凸曲部８０ａの外面には、前記第１実施形態のディンプル５８と同様の図示しないディンプルが形成されている。
【００６０】
そして、図７に示すように、固定挟着部７の刃体挟着部６１と可動挟着板６の刃体挟着部７１との協働により挟着された替刃３において、刃体５２の刃先５４から可動挟着板外側面６ａに接する接線Ｌ３と、刃体５２の中心線Ｍとのなす角度は、前記角度α１に設定されている。加えて、前記刃先５４から固定挟着部外側面７ａに接する接線Ｌ４と、刃体５２の中心線Ｍとのなす角度は、前記角度α２に設定されている。
【００６１】
さらに、刃先５４と背金８０の両凸曲部８０ａの外側面との接する線をＳ３，Ｓ４とすると、接線Ｓ３と中心線Ｍとのなす角度、及び接線Ｓ４と中心線Ｍとのなす角度は、ぞれぞれ前記角度β１，角度β２に設定されている。
【００６２】
このように構成しても、前記第１実施形態と同様の作用を奏するとともに、以下の効果を奏する。
図７に示すように、ホルダ２の刃体挟着部６１，７１に替刃３を挟着すると、刃体挟着部６１，７１の窪み部６１ａ，７１ａが替刃３の凸曲部８０ａの背側端部を覆う。即ち、刃体挟着部６１，７１の窪み部６１ａ，７１ａにて、ホルダ２と替刃３との密着感が高められる。
【００６３】
従って、前記第１実施形態の（１）〜（３），（５）と同様の効果を奏するとともに、以下の効果を奏する。
（１）本実施形態では、刃体挟着部６１，７１の窪み部６１ａ，７１ａにて、ホルダ２と替刃３との密着感を高めることができる。
（他の実施形態）
なお、上記各実施形態は以下のような他の実施形態に変更して具体化してもよい。
【００６４】
・前記第１実施形態では、替刃３の凸曲部５３ｂに凹状をなすディンプル５８を設け、同ディンプル５８にて皮膚表面Ｈｉに対する凸曲部５３ｂの接触面積を小さくしていた。しかし、皮膚表面Ｈｉに対する凸曲部５３ｂの接触面積を小さくするために、凸曲部５３ｂに１以上の接触面積低減部としての突部を設けてもよい。又、このような変更を第２実施形態において、具体化してもよい。
【００６５】
・前記第１実施形態では、替刃３の凸曲部５３ｂにディンプル５８を設けていたが、省略してもよい。又、このような変更を第２実施形態において、具体化してもよい。
【００６６】
・前記第１実施形態では背金５３に皮膚押圧部である凸曲部５３ｂを設けていた。背金５３の凸曲部５３ｂを省略して、その代わりに刃体５２自体に凸曲部５３ｂと同様の外形形状を持つ突起を設け、その突起を皮膚押圧部としてもよい。又、このような変更を第２実施形態において、具体化してもよい。
【００６７】
・前記第１実施形態では刃体５２を背金５３にて保持していたが、刃先５４以外の刃体５２部分を樹脂などで覆ってもよい。この場合、樹脂部分の外形形状は前記背金５３の外形形状と同様にする。又、このような変更を第２実施形態において、具体化してもよい。
【００６８】
・前記第１実施形態では、中心線Ｍに対して両側に凸曲部５３ｂを有するように背金５３を形成していたが、どちらか一方のみに形成するようにしてもよい。この場合、ホルダ２は、刃体挟着部１１の突出部１１ａ、凹部１１ｂを省略するか、或いは刃体挟着部３１の突出部３１ａ、凹部３１ｂを省略してもよい。又、このような変更を第２実施形態において、具体化してもよい。
【００６９】
・前記第１実施形態では、背金５３の凸曲部５３ｂに、ディンプル５８を長手方向へ向けジグザグ状に所定間隔毎に複数個形成していた。これに限らず、ディンプル５８を背金５３の凸曲部５３ｂにランダムに配列してもよい。又、このような変更を第２実施形態において、具体化してもよい。
【００７０】
・前記第１実施形態では、刃体挟着部１１，３１の突出部１１ａ，３１ａ及び凹部１１ｂ，３１ｂを湾曲状に形成していたが、湾曲状に形成しなくともよい。例えば、段状をなすよに突出部１１ａ，３１ａ及び凹部１１ｂ，３１ｂを形成してもよい。
【００７１】
・前記第２実施形態では、窪み部６１ａ，７１ａを湾曲状に形成していたが、湾曲状に形成しなくともよい。例えば、段状をなすように窪み部６１ａ，７１ａを形成してもよい。
【００７２】
次に、上記実施形態及び他の実施形態から把握できる請求項に記載した発明以外の技術的思想について記載する。
（イ）前記皮膚押圧部は刃体の両側に設けたことを特徴とする請求項１乃至請求項４のうちいずれか１項に記載の替刃式剃刀の替刃。このようにすると、両側面に皮膚押圧部を設けたことで、使用時の操作性を向上できる。
【００７３】
【発明の効果】
請求項１〜３に記載の発明によれば、替刃式剃刀の替刃が皮膚表面に対する角度が安定し、剃り心地と剃り味を良くすることができる。又、皮膚押圧部を皮膚表面に押圧した状態で毛を剃ると根元から剃ることができる。
【００７４】
請求項１に記載の発明によれば、保持部材の昼間部を替刃式剃刀の挟着部分とすることで替刃式剃刀の替刃を替刃式剃刀に安定して取り付けることができる。
請求項２に記載の発明によれば、替刃式剃刀の替刃の皮膚表面に対する滑りをよくすることができる。
【００７５】
請求項３に記載の発明によれば、刃体の刃先及び刃体の中心線を通過する仮想平面と皮膚表面とのなす角度を、前記刃体の刃先及び刃体の中心線を通過する仮想平面と刃先及び前記皮膚押圧部に接する平面とがなす角度より小さくすることで皮膚押圧部を皮膚表面に押圧できる。
【００７６】
請求項４〜６に記載の発明によれば、替刃の皮膚に対する角度を安定することができ、剃り心地を良くし、剃り残し、肌荒れのない顔剃りをすることができる。
【００７７】
請求項５に記載の発明によれば、刃体挟着部の突出部にて、側方に替刃凹部を有する替刃式剃刀の替刃を安定して挟着できる。
請求項６に記載の発明によれば、替刃式剃刀のホルダの窪み部にて、替刃式剃刀のホルダと、側方に凸部を有する替刃式剃刀の替刃との密着感を高めることができる。
【図面の簡単な説明】
【図１】  第１実施形態における替刃式剃刀を示す斜視図。
【図２】  同じく可動挟着板及び固定挟着部材の構成を示す斜視図。
【図３】  同じく替刃式剃刀を先端側から見た要部拡大図。
【図４】  同じく替刃を示す正面図。
【図５】  （ａ）は、図４のＡ−Ａ線矢視断面図。（ｂ）は、図４のＢ−Ｂ線矢視断面図。
【図６】  （ａ）は、背金の刃先側を示す拡大断面図。（ｂ）は、背金の刃先側を示す拡大断面図。
【図７】  第２実施形態における替刃式剃刀の刃先周辺部の要部拡大図。
【符号の説明】
２…替刃式剃刀のホルダとしてのホルダ、
３…替刃式剃刀の替刃及び背金付替刃としての替刃、
１１，３１，６１，７１…刃体挟着部、１１ａ，３１ａ…突出部、
１１ｂ，３１ｂ…凹部、５２…刃体、５３，８０…保持部材としての背金、
５３ａ…保持部材の中間部及び替刃凹部としての凹曲部、
５３ｂ…皮膚押圧部としての凸曲部、５４…刃先、
５８…接触面積低減部としてのディンプル、
８０ａ…皮膚押圧部及び凸部としての凸曲部、Ｈｉ…皮膚表面。
【図１】
0003725771.tif 000002
【図２】
0003725771.tif 000003
【図３】
0003725771.tif 000004
【図４】
0003725771.tif 000005
【図５】
0003725771.tif 000006
【図６】
0003725771.tif 000007
【図７】
0003725771.tif 000008